(57)【特許請求の範囲】
【請求項１】
対物レンズを備えた可動部が、該対物レンズを中心として複数づつ左右に振り分けられ、左右において上下に配置された複数の弾性支持部材により、固定部に支持されている対物レンズ駆動装置において、前記固定部の左右の既設ダンパケース内のダンピング材のいずれかに傾き調整用ダンピング材が加えられていて前記弾性支持部材に付着しているタンピング材の量を左右で異なるように設定したことを特徴とする対物レンズ駆動装置
【請求項２】
対物レンズを備えた可動部が、該対物レンズを中心として複数づつ左右に振り分けられ、左右において上下に配置された複数の弾性支持部材により、固定部に支持されている対物レンズ駆動装置において、前記可動部の左右に傾き調整用ダンパケースを設け、いずれか片方あるいは両方に傾き調整用ダンピング材が加えられていて前記弾性支持部材に付着しているタンピング材の量を左右で異なるように設定したことを特徴とする対物レンズ駆動装置
【請求項３】
対物レンズを備えた可動部が、該対物レンズを中心として複数づつ左右に振り分けられ、左右において上下に配置された複数の弾性支持部材により、固定部に支持されている対物レンズ駆動装置において、前記固定部の左右に傾き調整用ダンパケースを設け、いずれか片方あるいは両方に傾き調整用ダンピング材が加えられていて前記弾性支持部材に付着しているタンピング材の量を左右で異なるように設定したことを特徴とする対物レンズ駆動装置
【請求項４】
対物レンズを備えた可動部が、該対物レンズを中心として複数づつ左右に振り分けられ、左右において上下に配置された複数の弾性支持部材により、固定部に支持されている対物レンズ駆動装置において、前記弾性支持部材に直接、傾き調整用ダンピング材を塗布し、これを可動部で保持していて前記弾性支持部材に付着しているタンピング材の量を左右で異なるように設定したことを特徴とする対物レンズ駆動装置
【請求項５】
対物レンズを備えた可動部が、該対物レンズを中心として複数づつ左右に振り分けられ、左右において上下に配置された複数の弾性支持部材により、固定部に支持されている対物レンズ駆動装置の製造方法において、対物レンズ傾き特性検査後、その傾きに応じて、弾性支持部材の両端固定点の間に配置固定されて弾性支持部材に付着しているダンピング材に、傾き調整用ダンピング材を加えて、傾きを修正することを特徴とする対物レンズ駆動装置の製造方法
【請求項６】
固定部の左右の既設ダンパケース内のダンピング材のいずれかに傾き調整用ダンピング材を加える請求項５記載の対物レンズ駆動装置の製造方法
【請求項７】
可動部の左右に傾き調整用ダンパケースを設け、いずれか片方あるいは両方に傾き調整用ダンピング材を加える請求項５記載の対物レンズ駆動装置の製造方法
【請求項８】
固定部の左右に傾き調整用ダンパケースを設け、いずれか片方あるいは両方に傾き調整用ダンピング材を加える請求項５記載の対物レンズ駆動装置の製造方法
【請求項９】
弾性支持部材に直接、傾き調整用ダンピング材を塗布し、これを可動部で保持する請求項５記載の対物レンズ駆動装置の製造方法
【発明の詳細な説明】
【０００１】
【発明の属する技術分野】
この発明は、ディスク上の記録媒体に光スポットを投射して光学的に情報を書き込み、読み取る光ピックアップ装置の対物レンズ駆動装置に関するものである。
【０００２】
【従来の技術】
光ピックアップ装置は、一般に、対物レンズを備えた対物レンズ駆動装置と、対物レンズに光の送受を行う光学系とから構成されている。そして、光学系ブロックの取付け台上に対物レンズ駆動装置を配置した構造となっている。
【０００３】
一般的な対物レンズ駆動装置は、図７に示すように、対物レンズ１１、フォーカスコイル１２、トラッキングコイル１３を備えた可動部１と、磁気回路（マグネット等）２１を備えた固定部２と、可動部１と固定部２に両端が固定されて可動部１を片持ちに支持している４本の弾性支持部材３とから構成されている。そして、金属性ワイヤである弾性支持部材３は、対物レンズ１１を中心として２本づつ左右に振り分けられ、左右において上下に配置されて、一端が、対物レンズ１１が装着されたレンズホルダ１４の左右側面に設けられたホルダ基板１５に、他端が、ベース２２に立設されたベース基板２３に、はんだ付けにより固定されている。そして、固定部２は、弾性支持部材３がタンジェンシャル方向（ディスクの接線方向）と平行になるように配置されている。
【０００４】
可動部１は、フォーカスコイル１２の通電によってフォーカス方向（ディスクに垂直な方向）に、トラッキングコイル１３の通電によってラジアル方向（ディスクの半径方向）にシフトする。この可動部１の振動を制するために、図８に示すように、弾性支持部材３の他端が固定されるベース基板２３の前にダンパケース２４を設け、ダンパケース２４及びベース基板２３を貫通させて弾性支持部材３の他端をはんだ付けによりベース基板２３に固定し、ダンパケース２４にゲル状ダンピング材２５を充填し、弾性支持部材３に付着させている。これは、充填されたゲル状ダンピング材２５の中に一部が配置されて、ゲル状ダンピング材２５に付着している弾性支持部材３のシフトによるゲル状ダンピング材２５の変形及び粘性流動を利用して、ダンピングするものである（例えば、特開平２−２３２８２４）。
【０００５】
【発明が解決しようとする課題】
この従来技術においては、４本の弾性支持部材３は、可動部１をフォーカス方向、ラジアル方向にシフトさせたとき可動部１が傾かないように、つまり対物レンズ１１が傾かないようにするため可動部１側固定端と固定部２側固定端の間隔を等しくし、上下左右において平行になるように設定されている。また、弾性支持部材３が所定の位置に固定されていることを前提として、左右のダンパケース２４内でのゲル状ダンピング材２５の量は、等しく設定されている。
【０００６】
したがって、４本の弾性支持部材３のうち１本でも取付け位置がずれると、例えば、ラジアル方向＋側可動部１の上下弾性支持部材３の間隔とラジアル方向−側可動部１の上下弾性支持部材３の間隔が異なると、対物レンズ１１を中心として左右がアンバランスになる。そのため、図９に示すように、中立位置で水平であった可動部１がフォーカス方向にシフトすると、可動部１の重心回りにモーメントが発生し、図１０に示すように、可動部１はラジアル方向に傾きを持つ。したがって、可動部１を、例えばフォーカス方向にシフトすると、対物レンズ１１が傾きをもち、コマ収差を発生し、読み取り信号のジッタを悪化させてしまう。
【０００７】
そのため、この傾きを防ぐためには、高精度な弾性支持部材３の位置決めが必要であった。しかしながら、それだけの位置決めを工程上で行うにはかなりの困難を要し、どうしても傾きを持ってしまうものがでてくる。これを修正する工程として、弾性支持部材３のはんだ付けのやり直しをする方法もあるが、これでは、歩留りの関係上、必ず修正されるとは限らないし、弾性支持部材３のはんだ部分の信頼性が懸念されるという課題がある。
【０００８】
この発明は、このような従来技術の課題を解決する目的でなされたものである。
【０００９】
【課題を解決するための手段】
上記課題を解決するための手段を、実施の一形態に対応する図１を用いて以下、説明する。この発明は、対物レンズ１１を備えた可動部１が、対物レンズ１１を中心として複数づつ左右に振り分けられ、左右において上下に配置された複数の弾性支持部材３により、固定部２に支持されている対物レンズ駆動装置において、固定部２の左右の既設ダンパケース２４Ｌ、２４Ｒ内のダンピング材２５Ｌ、２５Ｒのいずれかに傾き調整用ダンピング材が加えられていて弾性支持部材３に付着しているタンピング材の量を左右で異なるように設定したことを特徴とするものである。
【００１０】
このように構成されたものにおいては、可動部１をフォーカス方向＋側にシフトした場合、可動部１がラジアル方向−側に傾いたとき、ラジアル方向＋側のダンパケース２４Ｒにその傾きに応じた適量のダンピング材を加えて、ダンピング材２５Ｌ，２５Ｒの量を異なるようにすることにより、その傾きは修正されている。
【００１１】
【発明の実施の形態】
図１は、この発明の実施の一形態を示す図である。図１において、１は可動部、２は固定部、３は弾性支持部材、２４Ｌは左側（ラジアル方向−側）のダンパケース、２４Ｒは右側（ラジアル方向＋側）のダンパケース、２５Ｌはダンパケース２４Ｌに充填されたダンピング材、２５Ｒはダンパケース２４Ｒに充填されたダンピング材である。
【００１２】
ここで追加するダンピング材の量と修正できる傾き角の関係について説明する。図２は、追加するダンピング材の量と修正できる傾き角の関係を求めるために行った実験結果を示す。この関係は、弾性支持部材３の種類やバネ定数、ダンパケース２４Ｌ、２４Ｒの容積、ダンピング材２５Ｌ、２５Ｒの種類や初期充填量等により異なった関係になるため、ここでは、一例を挙げて示す。なお、ダンピング材２５Ｌ、２５Ｒとして、種々のものが用いることができるが、ゲル状のものが好ましく、特にシリコーン系、変性アクリレート系のゲル状ダンピング材が好ましい。以下の本発明の説明においては、シリコーン系のゲル状ダンピング材を用いた。
【００１３】
弾性支持部材３として直径８０μｍのワイヤを４本、可動部１側固定端から固定部２側固定端までの長さは９ｍｍ、左右のダンパケース２４Ｌ，２４Ｒは、７．６ｍｇのダンピング材が充填でき、上下２本のワイヤで１個のダンパケース２４Ｌ又は２４Ｒを利用している。ダンパケース２４Ｒにダンピング材２５Ｒを６．１ｍｇ充填し、可動部をフォーカス方向＋０．５ｍｍシフトしたときのラジアル方向の傾きをダンパケース２４Ｌにダンピング材２５Ｌを加えながら測定した。
【００１４】
図２の横軸が、ダンパケース２４Ｌに充填したダンピング材２５Ｌの量、縦軸が可動部１をフォーカス方向に＋０．５ｍｍシフトしたときのラジアル方向の傾きである。この傾きから、ダンピング材の量が多い方が下がることが判る。すなわち、右側（ラジアル方向＋側）のダンピング材２５Ｒの量が、左側（ラジアル方向−側）のダンピング材２５Ｌの量より多いと、右下がりになり（ラジアル方向＋側に傾くという。）、逆の場合は左下がりになる（ラジアル方向−側に傾くという。）。
【００１５】
追加するダンピング材の量とラジアル方向傾きは、ほぼ比例関係にあり、その比例定数は４．２分／ｍｇと算出できる。
【００１６】
図２の結果より、図３に示す追加するダンピング材の量と修正できる傾き角の関係が導き出せる。例えば、作製したサンプルがフォーカス方向に＋０．５ｍｍシフトしたときの可動部１の傾きがラジアル方向＋側に４．２分であったとき、ラジアル方向−側のダンパケース２４Ｌに１．０ｍｇのダンピング材を追加すれば、可動部１の傾きを修正し、傾き角をゼロにすることができる。
【００１７】
したがって、ダンパケース２４Ｌ、２４Ｒに等量又は略等量のダンピング材を入れておき、フォーカス方向に＋０．５ｍｍシフトしたときの可動部１の傾きを把握し、その傾きに応じて、いずれかのダンパケース２４Ｌ又は２４Ｒに傾き調整用ダンピング材を加えて、ダンピング材２５Ｌ、２５Ｒの量を異なるようにすれば、可動部１のラジアル方向の傾きはなくなる。
【００１８】
ダンパケース２４Ｌ、２４Ｒにダンピング材を入れておかないで、対物レンズ傾き特性を測定しながら、ダンピング材を入れていき、ダンピング材２５Ｌ、２５Ｒの量を異なるようにしてもよい。
【００１９】
以上は、固定部２側のダンパケース２４Ｌ又は２４Ｒに傾き調整用ダンピング材を加えたが、図４のように、可動部１側の左右に傾き調整用ダンパケース４を設け、いずれか片方あるいは両方に傾き調整用ダンピング材５を加えても同様の効果が得られる。傾き調整用ダンパケース４は、レンズホルダ１４の左右側面に設けられているが、ホルダ基板１５を拡張してホルダ基板１５に固定してもよい。また、傾き調整用ダンパケース４は、２本の上下弾性支持部材３に対して１個であるが、弾性支持部材３毎に設けてもよい。両方の傾き調整用ダンパケース４に傾き調整用ダンピング材５を加えるのは、傾き調整用ダンパケース４に傾き調整用ダンピング材５がはじめから加えられていないことを想定しているからである。はじめから加えられている場合は、いずれかの傾き調整用ダンパケース４に傾き調整用ダンピング材５を加えることで足りる。
【００２０】
更に、図５のように、固定部２側の左右にベース２２に自立した傾き調整用ダンパケース６を設け、いずれか片方あるいは両方に傾き調整用ダンピング材７を加えても同様の効果が得られる。傾き調整用ダンパケース６は、２本の上下弾性支持部材３に対して１個であるが、弾性支持部材３毎に上下に設けてもよい。
【００２１】
更に、図６のように、傾き調整用ダンパケースを設けず、弾性支持部材３に直接、傾き調整用ダンピング材８を塗布し、これを可動部１で保持してもよい。塗布する場所は、図中、レンズホルダ１４の左右側面であるが、ホルダ基板１５を拡張してホルダ基板１５にしてもよい。また、図中では２本同じ場所に塗布しているが、例えば、上側の弾性支持部材３は可動部１側、下側の弾性支持部材３は固定部２側とそれぞれ違う場所に塗布してもよい。更に、弾性支持部材３のいずれか片方あるいは両方に傾き調整用ダンピング材８を塗布してもよい。
【００２２】
傾き調整用ダンピング材の種類は、最初に充填したダンピング材と異なってもよい。
【００２３】
ダンピング材を、ダンパケース２４Ｌ又は２４Ｒ内のダンピング材と傾き調整用ダンピング材に分散することにより、ダンパケース２４Ｌ又は２４Ｒ内のダンピング材の量を少なくすることができるので、ダンパケース２４Ｌ又は２４Ｒ内の奥行きを小さくでき、タンジェンシェル方向の短縮化が期待できる。
【００２４】
ラジアル方向＋側可動部１の上下弾性支持部材３の間隔とラジアル方向−側可動部１の上下弾性支持線材３の間隔が異なるなどのアンバランスは、傾き調整用ダンピング材を追加して、バネ定数を変化させることにより、なくなる。それゆえ、ラジアル方向＋側の弾性支持線材３とラジアル方向−側の弾性支持部材３は均等になる。その結果、フォーカス方向にシフトしたとき、弾性支持部材３が等しく働き水平に移動するので、可動部１はラジアル方向に傾かない。
【００２５】
また、組立上の弾性支持部材の寸法ずれにより発生する傾きのみだけでなく、例えば、マグネット位置がラジアル方向にずれているために発生してしまう傾きについても、同様の方法で修正可能である。
【００２６】
更に、組立上、治具のくせ等により、常にどちらかに傾く傾向がある場合においても、治具を修正することはなく、あらかじめ、ダンパケースを設け、左右異なった適量のダンピング材をいれることにより、そのくせをキャンセルさせることも可能である。
【００２７】
本発明を、対物レンズを中心として２本づつ左右に振り分けられ、左右において上下に配置された４本の弾性支持部材により、固定部に片持ちに支持されている対物レンズ駆動装置について説明してきたが、３本づつ左右に振り分けられ、左右において上下に配置された６本の弾性支持部材により、固定部に片持ちに支持されている対物レンズ駆動装置にも適用でき、また、固定部への支持方法も、片持ちのみならず、両持ちの場合も適用できる。
【００２８】
以上、可動部１がフォーカス方向にシフトしても、可動部１はラジアル方向に傾かない対物レンズ駆動装置の発明として説明してきたが、同時に、この発明は、フォーカス方向にシフトしても、可動部１はラジアル方向に傾かない対物レンズ駆動装置を製造する方法の発明である。すなわち、対物レンズを備えた可動部が、該対物レンズを中心として複数づつ左右に振り分けられ、左右において上下に配置された複数の弾性支持部材により、固定部に支持されている対物レンズ駆動装置の製造方法において、対物レンズ傾き特性検査後、その傾きに応じて、弾性支持部材の両端固定点の間に配置固定されて弾性支持部材に付着しているダンピング材に、傾き調整用ダンピング材を加えて、傾きを修正するものである。
【００２９】
【発明の効果】
以上説明してきたように、この発明は、対物レンズを備えた可動部が、該対物レンズを中心として複数づつ左右に振り分けられ、左右において上下に配置された複数の弾性支持部材により、固定部に支持されている対物レンズ駆動装置において、固定部の左右の既設ダンパケース内のダンピング材のいずれかに傾き調整用ダンピング材が加えられていて弾性支持部材に付着しているタンピング材の量を左右で異なるように設定したことを特徴とするものである。それゆえ、可動部をフォーカス方向十側にシフトしても、可動部はラジアル方向に傾かない。したがって、この発明によれば、傾きを防ぐための高精度な弾性支持部材の位置決めは不要となり、高精度の位置決めに伴う修正工程としての弾性支持部材のはんだ付けのやり直し及び弾性支持部材のはんだ部分の信頼性に対する懸念が解消されるという効果が得られる。
【図面の簡単な説明】
【図１】この発明の実施の一形態を示す正面図である。
【図２】ダンピング材の量とラジアル方向の傾きの関係を示す図である。
【図３】ダンピング材の追加する量と修正できる傾き角の関係を示す図である。
【図４】この発明の実施の他の形態を示す断面図である。
【図５】この発明の実施の他の形態を示す断面図である。
【図６】この発明の実施の他の形態を示す断面図である。
【図７】従来技術の対物レンズ駆動装置の斜視図である。
【図８】従来技術の弾性支持部材の取付け状態を示す断面図である。
【図９】従来技術の中立状態を示す正面図である。
【図１０】従来技術の可動部がフォーカス方向＋側にシフトした場合の正面図である。
【符号の説明】
１  可動部
２  固定部
３  弾性支持部材
２５Ｌ  ダンピング材
２５Ｒ  ダンピング材
【図１】
0003916190.tif 000002
【図２】
0003916190.tif 000003
【図３】
0003916190.tif 000004
【図４】
0003916190.tif 000005
【図５】
0003916190.tif 000006
【図６】
0003916190.tif 000007
【図７】
0003916190.tif 000008
【図８】
0003916190.tif 000009
【図９】
0003916190.tif 000010
【図１０】
0003916190.tif 000011